(57)【要約】  界面活性剤および担体を有する洗剤組成物が記載され、組成物は、衛生または消費者／ホームケア製品、例えば食器洗浄液、洗濯洗剤、手洗い用洗浄液、または他の家庭用洗剤ベース組成物に有用有用である。【特許請求の範囲】
【請求項１】
界面活性剤および担体を含む洗剤組成物であって、界面活性剤は、ポリグリセリル脂肪酸エステルまたはポリグリセリル脂肪酸エステルの混合物を含む、洗剤組成物。
【請求項２】
ポリグリセリル脂肪エステルが、（ａ）平均で２〜１８個のグリセロール分子から構成されるポリグリセロール成分、および（ｂ）カプリル酸、カプリン酸、ラウリン酸、ミリスチン酸、パルミチン酸、ステアリン酸、アラキジン酸、ベヘン酸、リグノセリン酸、セロチン酸、オレイン酸、デカオレイン酸、リシノール酸またはそれらの混合物からなる群から選択される脂肪酸に由来する、請求項１に記載の洗剤組成物。
【請求項３】
ポリグリセリル脂肪エステルが、ポリグリセリル−１０デカオレエート、ポリグリセリル−３モノステアレート、ポリグリセリル−６ジステアレート、ポリグリセリル−１０ステアレート、ポリグリセリル−１０オレエート、ポリグリセリル−１０ジパルミテート、ポリグリセリル−１０カプリレート／カプレート、ポリグリセリル−１０ラウレート、またはそれらの混合物を含む、請求項２に記載の洗剤組成物。
【請求項４】
担体が、水性溶媒、非水性溶媒またはそれらの混合物を含む、請求項１に記載の洗剤組成物。
【請求項５】
水性溶媒が、水、水性アルコール、アンモニア水、酸溶液、塩溶液、水混和性有機溶媒またはそれらの混合物を含む、請求項４に記載の洗剤組成物。
【請求項６】
水混和性有機溶媒が、一価または多価アルコール、アルカノールアミン、グリコールエーテル、またはそれらの混合物を含む、請求項５に記載の洗剤組成物。
【請求項７】
少なくとも１種のアニオン性界面活性剤をさらに含む、請求項１に記載の洗剤組成物。
【請求項８】
アニオン性界面活性剤が、Ｃ１１〜Ｃ１８アルキルベンゼンスルホネート、Ｃ１０〜Ｃ２０分岐鎖およびランダムアルキルサルフェート、Ｃ１０〜Ｃ１８アルキルエトキシサルフェート、中鎖分岐アルキルサルフェート、中鎖分岐アルキルアルコキシサルフェート、１〜５個のエトキシ単位を含むＣ１０〜Ｃ１８アルキルアルコキシカルボキシレート、修飾アルキルベンゼンスルホネート、Ｃ１２〜Ｃ２０メチルエステルスルホネート、Ｃ１０〜Ｃ１８アルファ−オレフィンスルホネート、Ｃ６〜Ｃ２０スルホスクシネート、脂肪メチルエステルスルホネートおよび／もしくはアルキルエチオキシ（ｅｔｈｙｏｘｙ）サルフェート（ＡＥＳ）および／もしくはアルキルポリアルコキシル化カルボキシレート（ＡＥＣ）、またはそれらの２つ以上の混合物を含む、請求項７に記載の洗剤組成物。
【請求項９】
アニオン性界面活性剤が、ココ硫酸ナトリウム、ココ硫酸アンモニウム、ヒドロキシプロピルスルホン酸ラウリルグルコシドナトリウム、ヒドロキシプロピルスルホン酸ラウリルグルコシドアンモニウム、ヒドロキシプロピルスルホン酸デシルグルコシドナトリウム、ヒドロキシプロピルスルホン酸デシルグルコシドアンモニウムまたはそれらの混合物を含む、請求項７に記載の洗剤組成物。
【請求項１０】
ビルダー、キレート剤、酸化防止剤またはそれらの混合物をさらに含む、請求項１に記載の洗剤組成物。
【請求項１１】
ポリマーをさらに含み、ポリマーは、ポリカルボキシレート、ポリアクリレート（ｐｏｌｙａｃｒｉｌａｔｅ）（ＰＡＡ）、カルボキシメチルセルロース、ポリ−エチレン−イミン（ＰＥＩ）、ｐｅｇ−１３６ポリ酢酸ビニル、ポリエチレンイミンエトキシレート、ポリビニルアルコール、ポリスチレン、ポリアクリレートコポリマー、ポリアクリル酸ナトリウム、両親媒性アルコキシル化グリース清浄化ポリマー、粘土質汚染物清浄化ポリマー、汚染物遊離ポリマー、汚染物懸濁化ポリマー、アクリルポリマーまたはそれらの混合物を含む、請求項１に記載の洗剤組成物。
【請求項１２】
酵素をさらに含み、酵素は、プロテアーゼ、アミラーゼ、セロビアーゼ、セルラーゼ、リパーゼ、キシログカナーゼ（ｘｙｌｏｇｕｃａｎａｓｅ）、ペクチン酸リアーゼ、マンナナーゼ、漂白酵素、クチナーゼ、脂肪分解活性酵素、グリコシルヒドロラーゼ、酵素活性物質、またはそれらの混合物のうち１つまたは複数を含む、請求項１に記載の洗剤組成物。
【請求項１３】
白色化剤または香料をさらに含む、請求項１に記載の洗剤組成物。
【請求項１４】
保存剤系をさらに含み、保存剤系は、安息香酸、安息香酸ナトリウム、ベンジルアルコール、ソルビン酸もしくはその塩、パラベン、デヒドロ酢酸、ブロノポール、トリクロサン、イミダゾリジニル尿素、ＰＨＭＢ、フェノキシエタノール、ＤＭＤＭＨ、エチルヘキシルグリセロール、イソチアゾロン、クロルヘキシジン、ジアゾリジニル尿素、クロルフェネシン、ヒドロキシメチルグリシン酸ナトリウム、塩化ベンゼトノイウム（ｂｅｎｚｅｔｈｏｎｏｉｕｍ）、ＩＰＢＣ（ヨードプロピニルブチルカルバメート）、サリチル酸、有機酸、天然酸、またはそれらの混合物を含む、請求項１に記載の洗剤組成物。
【請求項１５】
皮膚軟化剤をさらに含み、皮膚軟化剤は、ワックス、油、またはそれらの混合物を含む、請求項１に記載の洗剤組成物。
【請求項１６】
皮膚軟化剤が、エステル油、エーテル油、またはそれらの混合物を含む油である、請求項１５に記載の洗剤組成物。
【請求項１７】
（ａ）０．１ｗ／ｗ％〜３５ｗ／ｗ％のポリグリセリル脂肪酸エステルまたはポリグリセリル脂肪酸エステルの混合物；
（ｂ）１ｗ／ｗ％〜７０ｗ／ｗ％のアニオン性界面活性剤またはアニオン性界面活性剤の混合物；
（ｃ）１ｗ／ｗ％〜１０ｗ／ｗ％のビルダー、キレート剤、酸化防止剤またはそれらの混合物；
（ｄ）０ｗ／ｗ％〜１０ｗ／ｗ％のポリマー；
（ｅ）０ｗ／ｗ％〜５ｗ／ｗ％の酵素；
（ｆ）０ｗ／ｗ％〜５ｗ／ｗ％の白色化剤もしくは香料またはそれらの混合物；および
（ｇ）０．５ｗ／ｗ％〜１５ｗ／ｗ％の溶媒を含む洗剤組成物であって、各成分は、洗剤組成物の総重量を基準とする量で存在する、洗剤組成物。
【請求項１８】
（ａ）ポリグリセリル脂肪酸エステルまたはポリグリセリル脂肪酸エステルの混合物を含む０．１ｗ／ｗ％〜２０ｗ／ｗ％の界面活性剤；
（ｂ）１ｗ／ｗ％〜４０ｗ／ｗ％のアニオン性界面活性剤またはアニオン性界面活性剤の混合物；
（ｃ）２ｗ／ｗ％〜５ｗ／ｗ％のビルダー、キレート剤、酸化防止剤またはそれらの混合物；
（ｄ）１ｗ／ｗ％〜５ｗ／ｗ％のポリマー；
（ｅ）０．１ｗ／ｗ％〜３ｗ／ｗ％の酵素；
（ｆ）０．１ｗ／ｗ％〜５ｗ／ｗ％の白色化剤もしくは香料またはそれらの混合物；および
（ｇ）０．５ｗ／ｗ％〜１０ｗ／ｗ％の溶媒を含む、請求項１７に記載の洗剤組成物であって、各成分は、洗剤組成物の総重量を基準とする量で存在する、洗剤組成物。
【請求項１９】
組成物のｐＨが、３〜１２の間である、請求項１に記載の洗剤組成物。
【請求項２０】
液体、ゲル、懸濁液、カプセル、または粉末の形態である、請求項１に記載の洗剤組成物。
【請求項２１】
水溶性パウチ材料内に封入されている、請求項１に記載の洗剤組成物。
【請求項２２】
漂白剤、漂白活性剤、漂白触媒、界面活性剤、酵素安定剤、光学的増白剤、灰色化阻害剤（ｇｒａｙ  ｉｎｈｉｂｉｔｏｒ）、色相染料（ｈｕｅｉｎｇ  ｄｙｅ）、粒状材料、臭気制御剤、ヒドロトロープ、泡抑制剤、布地のケアに有益な薬剤（ｆａｂｒｉｃ  ｃａｒｅ  ｂｅｎｅｆｉｔ  ａｇｅｎｔ）、ｐＨ調整剤、移染阻害剤、非布地直接染料、着色剤、洗浄助剤、再付着防止剤、粘度調整剤、加工助剤、両親媒性アルコキシル化グリース清浄化ポリマー、粘土質汚染物清浄化ポリマー、汚染物遊離ポリマー、汚染物懸濁化ポリマー、増粘剤、清浄化助剤／清浄化剤、洗剤添加剤またはそれらの混合物から選択される少なくとも１つの追加成分をさらに含む、請求項１に記載の洗剤組成物。
【請求項２３】
食器洗浄液、洗濯洗剤、手洗い用洗浄液、または他の家庭用洗剤ベース組成物の形態である、請求項１に記載の洗剤組成物。
【発明の詳細な説明】
【技術分野】
【０００１】
[002]本開示は、衛生、消費者またはホームケア製品、例えば食器洗浄、洗濯、食器手洗い用洗浄液、ならびに他の家庭用洗剤ベース組成物に有用な洗剤組成物に関する。
【背景技術】
【０００２】
[004]当技術分野において現在、市販の製品と比較して優れた洗浄力（清浄性）を提供し、より少ないエネルギー（加熱）、より少ない水を必要とし、使用中により迅速な洗浄サイクルを提供し、極めて高いエネルギー使用量の不利益を被ることがない、低レベルまたは高レベルの界面活性剤を含む消費者／ホームケア製品または衛生製品のエンドユーザー配合物用の洗剤組成物を提供することが必要とされている。さらに、当技術分野において、天然起源成分または「グリーン」な成分、特に天然ベース洗剤組成物を提供し得る天然起源非イオン性界面活性剤から調製され得る洗剤組成物が必要とされている。
【０００３】
[005]消費者ケア部門において、所望の洗浄力の作用を提供する、ならびにより少量の熱および機械的エネルギーを出力し、消費者のコストを削減してエネルギー消費を低減する、低エネルギー洗浄が必要とされている。天然の植物起源材料をベースとする界面活性剤の開発への焦点により、ポリグリセリルエステルを添加した衛生または消費者／ホームケア洗剤ベース製品が、現在の市販の洗剤ベース製品と比較して改善された浄化効力を提供している。さらに、非イオン性界面活性剤の使用に代わる代替の界面活性剤としてのポリグリセリル脂肪エステルの使用は、洗浄時間の短縮、より低いエネルギー使用量、およびより低い廃水量の一助となり、最終的により環境に優しく低コストの製品をもたらし得る。さらに、そのような組成物における主要成分の１つとしてのポリグリセリル脂肪エステルの天然源の使用は、現在のバイオベース市販製品と比較して、エンドユーザー製品用のよりバイオベースの洗剤組成物をもたらす。さらに、ポリグリセリル脂肪エステルの添加は、高い界面活性剤レベルを要求する洗剤組成物の現在の問題を克服するが、そのような洗剤ベース組成物は現在、流体形態では不可能である。したがって、１種または複数のポリグリセリル脂肪エステルを添加すると、これらの問題を克服する助けとなり、改善された洗浄力のための高い界面活性剤レベルを有する流体、ゲル形態の洗剤組成物が可能になる。
【０００４】
[006]本開示は、１種または複数の界面活性剤を含む洗濯洗剤組成物を有する必要性に応え、少なくとも１種の界面活性剤は、天然由来のポリグリセリル脂肪エステル化合物である。
【発明の概要】
【０００５】
[008]一態様において、界面活性剤および界面活性剤用の担体を含む洗剤組成物であって、界面活性剤は、ポリグリセリル脂肪酸エステルまたはポリグリセリル脂肪酸エステルの混合物である、洗剤組成物が提供される。この洗剤組成物は、様々なエンドユーザー製品中にさらに希釈、溶解または分散してもよい。
【０００６】
[009]一実施形態において、ポリグリセリル脂肪エステルの１種または複数は、（ａ）平均で２〜１８個のグリセロール分子から構成されるポリグリセロール成分、および（ｂ）カプリル酸、カプリン酸、ラウリン酸、ミリスチン酸、パルミチン酸、ステアリン酸、アラキジン酸、ベヘン酸、リグノセリン酸、セロチン酸、オレイン酸、デカオレイン酸、リシノール酸またはそれらの混合物からなる群から選択される脂肪酸に由来する。
【０００７】
[010]１つの具体的な実施形態において、ポリグリセリル脂肪エステルは、ポリグリセリル−１０デカオレエート、ポリグリセリル−３モノステアレート、ポリグリセリル−６ジステアレート、ポリグリセリル−１０ステアレート、ポリグリセリル−１０オレエート、ポリグリセリル−１０ジパルミテート、ポリグリセリル−１０カプリレート／カプレート、ポリグリセリル−１０ラウレート、またはそれらの混合物である。
【０００８】
[011]一実施形態において、溶媒は、水性もしくは非水性溶媒、またはそれらの混合物である。１つの具体的な実施形態において、水性溶媒は、水、水性アルコール、アンモニア水、酸溶液、塩溶液、水中の水混和性有機溶媒またはそれらの混合物である。好適な非水性溶媒は、一価または多価アルコール、アルカノールアミン、グリコールエーテル、またはそれらの混合物である。
【０００９】
[012]別の実施形態において、洗剤組成物は、１種または複数のアニオン性界面活性剤をさらに含んでもよい。
【００１０】
[013]別の具体的な実施形態において、アニオン性界面活性剤は、Ｃ１１〜Ｃ１８アルキルベンゼンスルホネート、Ｃ１０〜Ｃ２０分岐鎖およびランダムアルキルサルフェート、Ｃ１０〜Ｃ１８アルキルエトキシサルフェート、中鎖分岐アルキルサルフェート、中鎖分岐アルキルアルコキシサルフェート、１〜５個のエトキシ単位を含むＣ１０〜Ｃ１８アルキルアルコキシカルボキシレート、修飾アルキルベンゼンスルホネート、Ｃ１２〜Ｃ２０メチルエステルスルホネート、Ｃ１０〜Ｃ１８アルファ−オレフィンスルホネート、Ｃ６〜Ｃ２０スルホスクシネート、脂肪メチルエステルスルホネートおよび／もしくはアルキルエチオキシ（ｅｔｈｙｏｘｙ）サルフェート（ＡＥＳ）および／もしくはアルキルポリアルコキシル化カルボキシレート（ＡＥＣ）、またはそれらの混合物のうち１つまたは複数であってもよい。さらなる実施形態において、アニオン界面活性剤は、アルキルエトキシ−サルフェート、ラウレス硫酸ナトリウム、クメンスルホン酸ナトリウム、アルキルベンゼンスルホネート、Ｃ１０〜１３アルキルベンゼンスルホン酸ナトリウム、ドデシルベンゼンスルホン酸ＭＥＡ、ラウレス硫酸ＭＥＡ、またはそれらの混合物であってもよい。
【００１１】
[014]本発明の洗剤組成物において使用可能な他のアニオン性界面活性剤は、「グリーン」なアニオン性界面活性剤、例えばココ硫酸ナトリウム、ココ硫酸アンモニウム、ヒドロキシプロピルスルホン酸ラウリルグルコシドナトリウム、ヒドロキシプロピルスルホン酸ラウリルグルコシドアンモニウム、ヒドロキシプロピルスルホン酸デシルグルコシドナトリウム、ヒドロキシプロピルスルホン酸デシルグルコシドアンモニウムまたはそれらの混合物を含む。他のアルキルサルフェート、例えばラウリル硫酸ナトリウム、ドデシル硫酸ナトリウム、ラウリル硫酸アンモニウムもまた、天然に存在する酸から形成され得る。
【００１２】
[015]一実施形態において、洗剤組成物は、ビルダー、キレート剤、酸化防止剤またはそれらの混合物をさらに含む。
【００１３】
[016]一実施形態において、洗剤組成物は、ポリカルボキシレート、ポリアクリレート（ｐｏｌｙａｃｒｉｌａｔｅ）（ＰＡＡ）、カルボキシメチルセルロース、ポリ−エチレン−イミン（ＰＥＩ）、ＰＥＧ−１３６ポリ酢酸ビニル、ポリエチレンイミンエトキシレート、ポリビニルアルコール、スチレン、アクリレートコポリマー、ポリアクリル酸ナトリウム、両親媒性アルコキシル化グリース清浄化ポリマー、粘土質汚染物清浄化ポリマー、汚染物遊離ポリマー、汚染物懸濁化ポリマー、アクリルポリマーまたはそれらの混合物から選択されるポリマーをさらに含む。
【００１４】
[017]一実施形態において、洗剤組成物は、プロテアーゼ、アミラーゼ、セロビアーゼ、セルラーゼ、リパーゼ、キシログカナーゼ（ｘｙｌｏｇｕｃａｎａｓｅ）、ペクチン酸リアーゼ、マンナナーゼ、漂白酵素、クチナーゼ、脂肪分解活性酵素、グリコシルヒドロラーゼ、酵素活性物質、またはそれらの混合物のうち１つまたは複数を含む酵素をさらに含む。
【００１５】
[018]別の実施形態において、洗剤組成物は、白色化剤または香料をさらに含み、一態様において、白色化剤または香料は、リモネン、リナロール、パルファム、蛍光白色化剤、芳香剤、芳香油、香料、精油、それらの天然油、芳香剤／香料特性を有するそれらの天然抽出物、またはそれらの混合物である。
【００１６】
[019]一実施形態において、洗剤組成物は、皮膚軟化剤をさらに含み、皮膚軟化剤は、ワックス、油またはそれらの混合物を含む。さらなる態様において、皮膚軟化剤は、エステル油、エーテル油、またはそれらの混合物を含む油である。
【００１７】
[020]さらなる実施形態において、洗剤組成物は、保存剤系をさらに含み、保存剤系は、安息香酸、安息香酸ナトリウム、ベンジルアルコール、ソルビン酸もしくはその塩、パラベン、デヒドロ酢酸、ブロノポール、トリクロサン、イミダゾリジニル尿素、ＰＨＭＢ、フェノキシエタノール、ＤＭＤＭＨ、エチルヘキシルグリセロール、イソチアゾロン、クロルヘキシジン、ジアゾリジニル尿素、クロルフェネシン、ヒドロキシメチルグリシン酸ナトリウム、塩化ベンゼトノイウム（ｂｅｎｚｅｔｈｏｎｏｉｕｍ）、ＩＰＢＣ（ヨードプロピニルブチルカルバメート）、サリチル酸、天然酸またはそれらの混合物を含む。
【００１８】
[021]本開示の一態様は、（ａ）０．１ｗ／ｗ％〜３５ｗ／ｗ％のポリグリセリル脂肪酸エステルまたはポリグリセリル脂肪酸エステルの混合物；（ｂ）１ｗ／ｗ％〜７０ｗ／ｗ％のアニオン性界面活性剤、またはアニオン性界面活性剤の混合物；（ｃ）１ｗ／ｗ％〜１０ｗ／ｗ％の存在するビルダー、キレート剤、酸化防止剤またはそれらの混合物；（ｄ）０ｗ／ｗ％〜１０ｗ／ｗ％のポリマー；（ｅ）０ｗ／ｗ％〜５ｗ／ｗ％の酵素；（ｆ）０ｗ／ｗ％〜５ｗ／ｗ％の白色化剤もしくは香料またはそれらの混合物；および（ｇ）０．５ｗ／ｗ％〜１５ｗ／ｗ％の溶媒を含む洗剤組成物であって、各成分は、洗剤組成物の総重量を基準とする量で存在する、洗剤組成物を提供する。
【００１９】
[022]さらに別の態様において、本開示は、（ａ）０．１ｗ／ｗ％〜２０ｗ／ｗ％のポリグリセリル脂肪酸エステルまたはポリグリセリル脂肪酸エステルの混合物；（ｂ）１ｗ／ｗ％〜４０ｗ／ｗ％のアニオン性界面活性剤、またはアニオン性界面活性剤の混合物；（ｃ）２ｗ／ｗ％〜５ｗ／ｗ％の存在するビルダー、キレート剤、酸化防止剤またはそれらの混合物；（ｄ）１ｗ／ｗ％〜５ｗ／ｗ％のポリマー；（ｅ）０．１ｗ／ｗ％〜３ｗ／ｗ％の酵素；（ｆ）０．１ｗ／ｗ％〜５ｗ／ｗ％の白色化剤もしくは香料またはそれらの混合物；および（ｇ）０．５ｗ／ｗ％〜１０ｗ／ｗ％の溶媒を含む洗剤組成物であって、各成分は、洗剤組成物の総重量を基準とする量で存在する、洗剤組成物を提供する。
【００２０】
[023]一態様において、洗剤組成物のｐＨは、３〜１２の間である。
【００２１】
[024]さらなる実施形態において、洗剤組成物は、液体、ゲル、懸濁液、カプセル、または粉末の形態の組成物を提供する。
【００２２】
[025]別の実施形態において、洗剤組成物は、水溶性パウチ材料内に封入される。
【００２３】
[026]さらに別の実施形態において、洗剤組成物は、漂白剤、界面活性剤、酵素安定剤、光学的増白剤、灰色化阻害剤（ｇｒａｙ  ｉｎｈｉｂｉｔｏｒ）、色相染料（ｈｕｅｉｎｇ  ｄｙｅ）、粒状材料、香料および他の臭気制御剤、着色剤、洗浄助剤、ヒドロトロープ、泡抑制剤、布地のケアに有益な薬剤（ｆａｂｒｉｃ  ｃａｒｅ  ｂｅｎｅｆｉｔ  ａｇｅｎｔ）、ｐＨ調整剤、移染阻害剤、非布地直接染料、再付着防止剤、粘度調整剤、加工助剤、漂白剤、漂白活性剤、漂白触媒、両親媒性アルコキシル化グリース清浄化ポリマー、粘土質汚染物清浄化ポリマー、汚染物遊離ポリマー、汚染物懸濁化ポリマー、増粘剤、清浄化助剤／清浄化剤、洗剤添加剤またはそれらの混合物からの少なくとも１つまたは複数の追加成分をさらに含む。
【００２４】
[027]別の態様において、本開示は、本明細書に記載の洗剤組成物、および（ｂ）水、水性溶媒、非水性溶媒またはそれらの混合物を含む自動食器洗浄製品を提供する。
【００２５】
[028]１つの具体的な実施形態において、自動食器洗浄製品は、食器洗浄製品、洗濯製品、食器手洗い用製品、または他の家庭用洗剤ベース組成物に有用である。
【００２６】
[029]１つの具体的な実施形態において、エンドユーザー配合物または自動食器洗浄製品は、配合物の重量を基準として重量で０．１ｗ／ｗ％〜８５ｗ／ｗ％の洗剤組成物を含む。
【００２７】
[030]さらなる実施形態において、洗剤組成物は、食器洗浄液、洗濯洗剤、手洗い用洗浄液、または他の家庭用洗剤ベース組成物を含む、衛生または消費者／ホームケア製品に有用である。
【００２８】
[031]発明を実施するための形態を読めば、これらの態様および他の態様が明らかとなるだろう。
【発明を実施するための形態】
【００２９】
[033]今回驚くべきことに、ポリグリセリル脂肪酸エステルを使用すると、他の非イオン性界面活性剤を必要とする組成物のそのような界面活性剤を補うまたは置き換えることができることが見出された。ポリグリセリル脂肪エステルを追加すると、組成物およびエンドユーザー配合物用の他の界面活性剤と組み合わせて良好に効果を発揮することも示された。本開示は、界面活性剤がポリグリセリル脂肪エステルの１種または複数を含み、また配合物自体の特性に影響せずに洗剤ベース組成物の特性を補助する１種または複数のアニオン性界面活性剤または両性界面活性剤をさらに含んでもよい組成物を提供する。
【００３０】
[034]さらに、ポリグリセロールエステルの審美特性およびレオロジー挙動は、追加成分（例えば保湿剤、粘度調整剤）が、必須ではないが、配合物自体の特性に影響せずに所望によりエンドユーザー配合物に添加されてもよいことを意味する。
【００３１】
[035]本開示によれば、本明細書における「ビルダー」という用語は、洗浄プロセス中の硬水分子に対処し、界面活性剤が染みを除去するその役割を開始するのを可能にする物質を指す。ビルダーは、界面活性剤が完全に機能できるように硬度イオンを除去することに関与する。
【００３２】
[036]本開示によれば、本明細書における「再付着防止剤」という用語は、汚染物粒子を布地に再び付着しないように洗浄薬液中に懸濁したままにする汚染物遊離物質を指す。
【００３３】
[037]本開示によれば、本明細書における「酵素」という用語は、染みをより小さい断片に分解してそれらをより除去し易くする、天然に存在するタンパク質である物質を指す。洗浄洗剤にはいくつかの異なる種類の酵素が存在し、それらはそれぞれ、草、血液、頑固な染みの除去、色および布地ケア、グリース、油（デンプンベース）、肉汁等、特定種の染みをより小さく容易に除去可能な成分に分解することで分解および除去し、タンパク質の染み等の白色化および増白を助けるように機能する。
【００３４】
[038]本開示によれば、本明細書における「界面活性剤」という用語は、洗剤組成物における中核となる染み除去機能を有する物質を指す。これは、布地からいかなるグリース状のものも除去する任意の物質を指し、染みおよび食物残渣に対して良好に機能する。
【００３５】
[039]本明細書における「ＨＬＢ」という用語は、「親水性−親油性バランス」を指す。ＨＬＢ値は、水溶性および油溶性、特に非イオン性乳化剤の水溶性および油溶性を表す（すなわち、乳化剤の親油性および親水性を表し、これらは乳化剤分子の異なる部分によって決定される）。乳化剤のＨＬＢが高い程、それはより親水性で水溶性である。Ｇｒｉｆｆｉｔｈｓ法によれば、ＨＬＢは、ＨＬＢ＝（親水性頭部基の分子量／総分子量）＊２０により計算される。
【００３６】
[040]本明細書における「ワックス」という用語は、天然に存在するワックスまたは合成ワックスを指し、その典型的な例は、ステアリルアルコール、炭化水素ワックス、植物もしくは動物由来ワックス、それらの合成類似体もしくは誘導体、またはシリコーンワックスを含む。ワックスは広く入手可能であり、ワックス自体および配合物中のその濃度を適切に選択することで、軟質固体または硬質固体を効果的に得ることができる。従来、ワックスは、同様の物理的特性を有する様々な材料および混合物に適用され、すなわち、それらは、約３０℃〜約４０℃で固体であり、３０℃超および９５℃未満の温度で、一般的には４０℃〜９０℃の温度範囲内で流動性の液体に溶融し、また非水溶性であり、その融点超まで加熱しても水不混和性を維持する。
【００３７】
[041]本明細書における「油」という用語は、約２０℃で液体かつ非水溶性である有機化合物を指す。本開示に関連して、水に対する不溶性は、約２０℃で１０ｗ／ｗ％未満の溶解度であることが理解される。典型的には、１ｗ／ｗ％未満、より具体的には０．１ｗ／ｗ％未満、特に０．０１ｗ／ｗ％未満の溶解度である。
【００３８】
[042]本明細書における「水性アルコール」という用語は、Ｃ１〜Ｃ４炭素原子および少なくとも１つのヒドロキシル基を有する飽和、不飽和、直線または分岐状炭化水素鎖を指し、炭化水素鎖は、１つまたはいくつかのヘテロ原子（例えば酸素または硫黄）を任意選択で含んでもよい。水性アルコールは、少なくともある量の水を含む。
【００３９】
[043]本明細書における「グリーンな界面活性剤」という用語は、再生可能炭素指数（Ｒｅｎｅｗａｂｌｅ  Ｃａｒｂｏｎ  Ｉｎｄｅｘ、ＲＣＩ）である。ＲＣＩは、化石資源ではなく再生可能資源（典型的には石油生産プラント）に由来する、各界面活性剤分子中の炭素原子のパーセンテージである。したがって、例えば、完全にパーム核油および／またはココナツ油から得られた尾部基炭素鎖を有し、界面活性剤頭部基には炭素を有さない界面活性剤ココ硫酸ナトリウムは、１００のＲＣＩ値を有する。「グリーンネス」のＲＣＩによる定義では、これは「１００％グリーン」な界面活性剤とみなすことができる。一方で、完全に化石資源から得られた尾部基炭素鎖を有するアルキルベンゼンスルホネート界面活性剤は、０のＲＣＩ値を有する。「グリーンネス」のＲＣＩによる定義では、これは「１００％ブラック」な界面活性剤とみなすことができる。３モルのエトキシル化を有する界面活性剤ラウレス硫酸ナトリウムを考えた場合、これは、尾部基炭素鎖が化石資源から得られる場合、０のＲＣＩ値を有し得、または尾部基炭素鎖が再生可能プラント資源から得られる場合、６７のＲＣＩ値を有し得る。この計算は、界面活性剤頭部基のエチレンオキシド部分の炭素が化石資源に由来することを仮定している。非イオン性界面活性剤の場合も、同様の計算を行うことができる。Ｃ１２ＥＯ６等の典型的なアルコールエトキシレート界面活性剤では、尾部基炭素鎖が化石資源から得られる場合、ＲＣＩ値は０である。エチレンオキシド頭部基における炭素は常に化石資源から得られるため、尾部基炭素鎖が再生可能資源から得られる場合、ＲＣＩ値は５０である。本明細書に記載の洗剤用途における使用に好適な、ＲＣＩ値が１００の非イオン性界面活性剤を得ることは、これまで達成するのが技術的に困難であった。本明細書に記載のポリグリセリル脂肪酸エステル非イオン性界面活性剤のＲＣＩ値は、１００である。
【００４０】
[044]本開示は、（ａ）界面活性剤および溶媒を含む洗剤組成物を包含し、界面活性剤は、ポリグリセリル脂肪酸エステルの１種または複数を含む。
【００４１】
[045]洗剤組成物は、（ａ）界面活性剤および担体を含み、界面活性剤は、ポリグリセリル脂肪エステルの１種または複数を含む。
【００４２】
[046]本開示において使用可能なポリグリセロールエステルは、飽和、不飽和、天然または合成脂肪酸等から形成され得る。例えば、飽和脂肪酸は、カプリル酸、カプリン酸、ラウリン酸、ミリスチン酸、パルミチン酸、ステアリン酸、アラキジン酸、ベヘン酸、リグノセリン酸、セロチン酸、オレイン酸、デカオレイン酸、リシノール酸、またはそれらの組合せ、またはそれらの誘導体等を含む。
【００４３】
[047]さらに、ポリグリセリル脂肪エステルは、ポリグリセリル脂肪エステルの１種または複数を含み、ポリグリセリル脂肪エステルは、（ａ）平均で２〜１８個のグリセロール分子から構成されるポリグリセロール成分、および（ｂ）カプリル酸、カプリン酸、ラウリン酸、ミリスチン酸、パルミチン酸、ステアリン酸、アラキジン酸、ベヘン酸、リグノセリン酸、セロチン酸、オレイン酸、デカオレイン酸、リシノール酸またはそれらの混合物等からなる群から選択される脂肪酸に由来する。
【００４４】
[048]典型的には、界面活性剤は、１〜９の間のＨＬＢを有するポリグリセリル脂肪エステル、または９〜１６の間のＨＬＢを有するポリグリセリル脂肪エステルの１種もしくは複数を含む。好適には、界面活性剤は、１２〜１６の間のＨＬＢを有するポリグリセリル脂肪エステルを含む。
【００４５】
[049]１〜９または１０〜１６のＨＬＢ値を有するポリグリセリルエステルの例は、これらに限定されないが、ポリグリセリルモノデカオレエート、例えばポリグリセリル−１０デカオレエート；ポリグリセリルモノオレエート、例えばポリグリセリル−２−モノオレエート、ポリグリセリル−３モノオレエート、ポリグリセリル−４モノオレエート、ポリグリセリル−６モノオレエート、もしくはポリグリセリル−１０モノオレエート；ポリグリセリルジオレエート、例えばポリグリセリル−２ジオレエート、ポリグリセリル−３ジオレエート、ポリグリセリル−５ジオレエート、ポリグリセリル−６ジオレエートもしくはポリグリセリル−１０ジオレエート；ポリグリセリルトリオレエート、例えばポリグリセリル−５トリオレエートもしくはポリグリセリル−１０トリオレエート；ポリグリセリルテトラオレエート、例えばポリグリセリル−２テトラオレエート、ポリグリセリル−６テトラオレエート、もしくはポリグリセリル−１０テトラオレエート；ポリグリセリルペンタオレエート、例えばポリグリセリル−４ペンタオレエート、ポリグリセリル−６ペンタオレエート、もしくはポリグリセリル−１０ペンタオレエート；ポリグリセリルヘプタオレエート、例えばポリグリセリル−６ヘプタオレエート、ポリグリセリル−１０ヘプタオレエート；ポリグリセリルモノステアレート、例えばポリグリセリル−２モノステアレート、ポリグリセリル−３モノステアレート、ポリグリセリル−４モノステアレート、ポリグリセリル−５モノステアレート、ポリグリセリル−６モノステアレートもしくはポリグリセリル−１０モノステアレート；ポリグリセリルジステアレート、例えばポリグリセリル−２ジステアレート、ポリグリセリル−３ジステアレート、ポリグリセリル−４ジステアレート、ポリグリセリル−６ジステアレート、もしくはポリグリセリル−１０ジステアレート；ポリグリセリルトリステアレート、例えばポリグリセリル−４トリステアレート、ポリグリセリル−５トリステアレート、ポリグリセリル−６トリステアレート、もしくはポリグリセリル−１０トリステアレート；ポリグリセリルテトラステアレート、例えばポリグリセリル−２テトラステアレート；ポリグリセリルペンタステアレート、例えばポリグリセリル−４ペンタステアレート、ポリグリセリル−６ペンタステアレート、もしくはポリグリセリル−１０ペンタステアレート；ポリグリセリルヘプタステアレート、例えばポリグリセリル−１０ヘプタステアレート；ポリグリセリルイソステアレート、例えばポリグリセリル−２イソステアレート、ポリグリセリル−３イソステアレート、ポリグリセリル−４イソステアレート、ポリグリセリル−６イソステアレート、もしくはポリグリセリル−１０イソステアレート；ポリグリセリルジイソステアレート、例えばポリグリセリル−２ジイソステアレート、ポリグリセリル−３ジイソステアレート、ポリグリセリル−４ジイソステアレート、ポリグリセリル−６ジイソステアレート、ポリグリセリル−１０ジイソステアレート、もしくはポリグリセリル−１５ジイソステアレート；ポリグリセリルトリイソステアレート、例えばポリグリセリル−２トリイソステアレート、ポリグリセリル−３���リイソステアレート、ポリグリセリル−５トリイソステアレート、ポリグリセリル−１０トリイソステアレート；ポリグリセリルテトライソステアレート、例えばポリグリセリル−２テトライソステアレート；ポリグリセリルカプリレート、例えばポリグリセリル−２カプリレート、ポリグリセリル−３カプリレート、ポリグリセリル−４カプリレート、ポリグリセリル−６カプリレート、もしくはポリグリセリル−１０カプリレート；ポリグリセリルジカプリレート、例えばポリグリセリル−５ジカプリレート；ポリグリセリルセスキカプリレート、例えばポリグリセリル−２セスキカピルレート（ｓｅｓｑｕｉｃａｐｙｒｌａｔｅ）；ポリグリセリルオクタカプリレート、例えばポリグリセリル−６オクタカプリレート；ポリグリセリルカプレート、例えばポリグリセリル−２カプレート、ポリグリセリル−３カプレート、ポリグリセリル−４カプレート、ポリグリセリル−５カプレート、ポリグリセリル−６カプレート、ポリグリセリル−１０カプレート；ポリグリセリルジカプレート、例えばポリグリセリル−３ジカプレートもしくはポリグリセリル−６ジカプレート；ポリグリセリルカプリレート／カプレート、例えばポリグリセリル−４カピルレートイカプレート（ｃａｐｙｒｌａｔｅｉｃａｐｒａｔｅ）、ポリグリセリル−６カプリレート／カプレート、もしくはポリグリセリル−１０カプリレート／カプレート；ポリグリセリルパルミテート、例えばポリグリセリル−２パルミテート、ポリグリセリル−３パルミテート、ポリグリセリル−６パルミテートもしくはポリグリセリル−１０パルミテート；ポリグリセリルジパルミテート、例えばポリグリセリル−６ジパルミテートもしくはポリグリセリル−１０ジパルミテート；ポリグリセリルテトラベヘネート、例えばポリグリセリル−６テトラベヘネート；ポリグリセリルミリステート、例えばポリグリセリル−６ミリステートもしくはポリグリセリル−１０ミリステート；ポリグリセリルリンシノレエート（ｒｉｎｃｉｎｏｌｅａｔｅ）、例えばポリグリセリル−６ポリリシノレエートもしくはポリグリセリル−１０リシノレエート；ポリグリセリル−３−ラウレート、ポリグリセリル−４ラウレート、ポリグリセリル−１０ラウレート、それらの他の誘導体、またはそれらの混合物等を含む。
【００４６】
[050]例示的なポリグリセリル脂肪酸エステルは、ポリグリセリル−１０デカオレエート、ポリグリセリル−３モノステアレート、ポリグリセリル−６ジステアレート、ポリグリセリル−１０ステアレート、ポリグリセリル−１０オレエート、ポリグリセリル−１０ジパルミテート、ポリグリセリル−１０カプリレート／カプレート、ポリグリセリル−１０ラウレート、またはそれらの混合物のうち１つまたは複数を含む。
【００４７】
[051]ポリグリセリル脂肪酸エステルは、一般に、洗剤組成物における担体中に存在する。担体は、ポリグリセリル脂肪酸エステルをより広い最終用途の配合物に分散させるために使用される。典型的には、担体は、ポリグリセリルエステル用の溶媒を含む。好適な溶媒は、水性溶媒または非水性溶媒を含む。
【００４８】
[052]水性溶媒の例は、これらに限定されないが、水、水性アルコール、アンモニア水、酸溶液、塩溶液、水中の水混和性有機溶媒、グリコール、またはそれらの混合物等を含む。
【００４９】
[053]非水性溶媒の例は、これらに限定されないが、一価もしくは多価アルコール、アルカノールアミン、グリコールエーテルまたはそれらの混合物等を含む。一般に、非水性溶媒は、水と混合された場合、典型的には水と混和性である。
【００５０】
[054]好適には、いくつかの非水性溶媒は、グリセリン、グリコール、プロパンジオールもしくはブタンジオール、グリセロール、ジグリコール、プロピルもしくはブチルジグリコール、ヘキシレングリコール、エチレングリコールメチルエーテル、エチレングリコールエチルエーテル、エチレングリコールプロピルエーテル、エチレングリコールモノ−ｎ−ブチルエーテル、ジエチレングリコールメチルエーテル、ジエチレングリコールエチルエーテル、プロピレングリコールメチル、エチル、もしくはプロピルエーテル、ジプロピレングリコールモノメチルもしくはエチルエーテル、ジイソプロピレングリコールモノメチルもしくはエチルエーテル、メトキシ−、エトキシ−、もしくはブトキシトリグリコール、１−ブトキシエトキシ−２−プロパノール、３−メチル−３−メトキシブタノール、プロピレングリコールｔ−ブチルエーテル、またはそれらの混合物等を含む。例えば、非水性溶媒は、液体洗浄および清浄化剤に使用され得る。
【００５１】
[055]洗剤組成物が１種または複数の追加の界面活性剤をさらに含むことが望ましくなり得る。使用される追加の界面活性剤は、アニオン性、両性、双性イオン性界面活性剤、非イオン性界面活性剤、カチオン性界面活性剤、またはそれらの相溶性混合物であってもよい。
【００５２】
[056]典型的には、使用される追加の界面活性剤は、アニオン性界面活性剤である。存在する場合、アニオン性界面活性剤は、洗剤組成物中の界面活性剤の界面活性剤の重量の１ｗ／ｗ％〜７０ｗ／ｗ％の量で使用され得る。さらに、アニオン性界面活性剤のより典型的な範囲は、全洗剤組成物の重量を基準として２ｗ／ｗ％〜６０ｗ／ｗ％、好適には３ｗ／ｗ％〜４０ｗ／ｗ％、または典型的には５ｗ／ｗ％〜３０ｗ／ｗ％であってもよい。
【００５３】
[057]様々なアニオン性界面活性剤が使用され得る。好適には、アニオン性界面活性剤は、これらに限定されないが、Ｃ１１〜Ｃ１８アルキルベンゼンスルホネート、Ｃ１０〜Ｃ２０分岐鎖およびランダムアルキルサルフェート、Ｃ１０〜Ｃ１８アルキルエトキシサルフェート、中鎖分岐状アルキルサルフェート、中鎖分岐状アルキルアルコキシサルフェート、１〜５個のエトキシ単位を含むＣ１０〜Ｃ１８アルキルアルコキシカルボキシレート、修飾アルキルベンゼンスルホネート、Ｃ１２〜Ｃ２０メチルエステルスルホネート、Ｃ１０〜Ｃ１８アルファ−オレフィンスルホネート、Ｃ６〜Ｃ２０スルホスクシネート、脂肪メチルエステルスルホネートおよび／またはアルキルエチオキシ（ｅｔｈｙｏｘｙ）サルフェート（ＡＥＳ）および／またはアルキルポリアルコキシル化カルボキシレート（ＡＥＣ）、ならびにそれらの混合物等からなる群から選択されるアニオン性界面活性剤の１つまたは複数を含む。
【００５４】
[058]本明細書における使用に好適なアニオン性スルホネートまたはスルホン酸界面活性剤の例は、これらに限定されないが、直鎖または分岐状Ｃ５〜Ｃ２０、より好適にはＣ１０〜Ｃ１６、典型的にはＣ１１〜Ｃ１３アルキルベンゼンスルホネート、Ｃ５〜Ｃ２０アルキルエステルスルホネート、Ｃ６〜Ｃ２２一級または二級アルカンスルホネート、Ｃ５〜Ｃ２０スルホン化ポリカルボン酸、またはそれらの混合物等の酸および塩形態を含む。
【００５５】
[059]洗剤組成物の組成物中での使用に好適なアニオン性硫酸塩の例は、これらに限定されないが、Ｃ９〜Ｃ２２原子、より好適にはＣ１２〜Ｃ１８原子を有する直鎖もしくは分岐状アルキルもしくはアルケニル部分を有する一級および二級アルキルサルフェート；ベータ分岐状アルキルサルフェート界面活性剤；またはそれらの混合物等を含む。
【００５６】
[060]中鎖分岐状アルキルサルフェートまたはスルホネートの例は、これらに限定されないが、Ｃ５〜Ｃ２２、好適にはＣ１０〜Ｃ２０中鎖分岐状アルキル一級サルフェートを含む。混合物が使用される場合、アルキル部分の炭素原子の好適な平均総数は、１４〜１８の範囲内である。好適には、モノ−メチル−分岐状一級アルキルサルフェートは、３−メチル〜１３−メチルペンタデカノールサルフェート、対応するヘキサデカノールサルフェート、またはそれらの混合物等からなる群から選択される。代替として、ジメチル誘導体または軽度の分岐を有する他の生分解性アルキルサルフェートが同様に使用され得る。
【００５７】
[061]アニオン性界面活性剤の例示的な例は、これらに限定されないが、アルキルエトキシ−サルフェート、ラウレス硫酸ナトリウム、クメンスルホン酸ナトリウム、アルキルベンゼンスルホネート、Ｃ１０〜Ｃ１３アルキルベンゼンスルホン酸ナトリウム、ドデシルベンゼンスルホン酸ＭＥＡ、ラウレス硫酸ＭＥＡ、パーム核脂肪酸ＭＥＡ、またはそれらの混合物等を含むアニオン性界面活性剤の１つまたは複数を含む界面活性剤を含む。典型的には、アニオン性界面活性剤は、アルカノールアミンもしくはアルカリ金属、例えばナトリウムおよびカリウムとの塩の形態で存在し、ならびに／または、アルカノールアミン、例えばモノエタノールアミンもしくはトリエタノールアミンで中和され、液相に完全に可溶である。
【００５８】
[062]「グリーン」である、または再生可能資源からのものであるとみなされる他のアニオン性界面活性剤もまた使用され得る。これらは、天然に存在する酸からのココサルフェートおよび他のアルキルサルフェート、ラウリルグルコシドヒドロキシプロピルスルホネート、デシルグルコシドヒドロキシプロピルスルホネート、またはそれらの混合物をベースとするアニオン性界面活性剤を含む。一般に、これらのアニオン性界面活性剤は、アルカリ金属塩、アンモニウム塩の形態であり、および／またはモノエタノールアミンもしくはトリエタノールアミン等のアルカノールアミンで中和されている。これらの「グリーン」なアニオン性界面活性剤は、ポリグリセリルエステルと共に使用される場合、天然、再生可能またはグリーンな資源から得られる洗剤組成物をもたらし得る。他のアニオン性界面活性剤、例えばココ硫酸ナトリウム、ラウリル硫酸ナトリウム、ドデシル硫酸ナトリウム、ココ硫酸アンモニウム、ラウリル硫酸アンモニウムおよびドデシル硫酸ナトリウムが使用されてもよい。
【００５９】
[063]所望により、使用されるカチオン性界面活性剤は、これらに限定されないが、水溶性、水分散性または非水溶性のものを含み得る。そのようなカチオン性界面活性剤は、少なくとも１つの四級化窒素原子、および少なくとも１つの長鎖ヒドロカルビル基を有する。２つ、３つまたはさらに４つの長鎖ヒドロカルビル基を含む化合物もまた含まれる。その例は、アルキルトリメチルアンモニウム塩、例えばＣ１２アルキルトリメチルアンモニウムクロリド、そのヒドロキシアルキル置換類似体、それらの混合物等を含む。
【００６０】
[064]好適な両性または双性イオン性洗剤用界面活性剤は、流体洗剤組成物中に使用される。好適な双性イオン性または両性界面活性剤の限定されない例は、米国特許第５，１０４，６４６号（Ｂｏｌｉｃｈ  Ｊｒ．ら）、米国特許第５，１０６，６０９号（Ｂｏｌｉｃｈ  Ｊｒ．ら）に記載されている。
【００６１】
[065]両性界面活性剤の例は、これらに限定されないが、脂肪族二級および三級アミンの誘導体として広く説明される界面活性剤を含み、脂肪族基は、直鎖または分岐鎖であってもよく、脂肪族置換基の１つはＣ８〜Ｃ１８原子を含み、１つはカルボキシ、スルホネート、サルフェート、ホスフェートまたはホスホネート等のアニオン基を含む。本開示における使用に好適な両性洗剤用界面活性剤は、これらに限定されないが、ココアンホアセテート、ココアンホジアセテート、ラウロアンホアセテート、ラウロアンホジアセテート、およびそれらの混合物等を含む。
【００６２】
[066]アニオン性界面活性剤と同様に、両性界面活性剤もまた、「グリーン」であってもよく、天然であってもよく、または再生可能資源から得られてもよい。例示的な「グリーン」な両性界面活性剤は、例えば、ココアミドプロピルベタイン、ココアミドプロピルヒドロキシスルタイン、ココベタイン、アルキルアミンオキシドを含む。また、１００％天然炭素カルボキシレート界面活性剤もあり、これは、低ｐＨでアニオン性であり、高ｐＨで非イオン性（溶解度が制限されている）である（脂肪酸、アシルグリシネート、アシルグルタメート、アルキルアンホアセテートまたはジアセテート）。
【００６３】
[067]双性イオン性界面活性剤の例は、これらに限定されないが、脂肪族四級アンモニウム、ホスホニウムおよびスルホニウム化合物の誘導体として広く説明される界面活性剤を含み、脂肪族基は、直鎖または分岐鎖であってもよく、脂肪族置換基の１つはＣ８〜Ｃ１８原子を含み、１つはカルボキシ、スルホネート、サルフェート、ホスフェートまたはホスホネート等のアニオン基を含む。ベタイン等の双性イオン性界面活性剤が、本開示に好適である。
【００６４】
[068]洗剤組成物は、ビルダー、キレート剤および／または酸化防止剤をさらに含んでもよい。ビルダー、キレート剤または酸化防止剤の例は、これらに限定されないが、アクリルポリマー、ボレートまたはホウ酸、（すなわち塩化カルシウム、塩化マグネシウム、塩化ナトリウム）、シトレート（すなわちクエン酸ナトリウム、ＭＥＡクエン酸塩）、ホルメート（すなわちギ酸カルシウム、ギ酸ナトリウム）、シリケート、サルファイト（すなわち亜硫酸水素ナトリウム）、サルフェート（すなわち硫酸ナトリウム）、グルコン酸およびポリアクリル酸、ゼオライト、グリセリン、ＥＤＴＡ、カーボネート、有機ジ−およびポリカルボン酸の塩、またはそれらの混合物等の１つまたは複数を含む。
【００６５】
[069]洗剤組成物は、これらに限定されないが、ポリカルボキシレート、ポリアクリレート（ｐｏｌｙａｃｒｉｌａｔｅ）（ＰＡＡ）、カルボキシメチルセルロース、ポリエチレンイミン（ＰＥＩ）、ｐｅｇ−１３６ポリ酢酸ビニル、ポリエチレンイミンエトキシレート、ポリビニルアルコール、スチレン、アクリレートコポリマー、ポリアクリル酸ナトリウム、両親媒性アルコキシル化グリース清浄化ポリマー、粘土質汚染物清浄化ポリマー、汚染物遊離ポリマー、汚染物懸濁化ポリマー、アクリルポリマー、モノエタノールアミンボレート、ＰＥＧ、ポリ酢酸ビニルコポリマー、グリセリン、またはそれらの混合物等の１つまたは複数を含む、１種または複数のポリマーをさらに含んでもよい。
【００６６】
[070]他のポリマーの例は、これらに限定されないが、非イオン性セルロースエーテル（例えばメチルセルロースおよびメチルヒドロキシプロピルセルロース）、フタル酸および／もしくはテレフタル酸またはそれらの誘導体の従来技術から知られているポリマー、特にエチレンテレフタレートならびに／またはポリエチレンおよび／もしくはポリプロピレングリコールテレフタレート、あるいはそれらのアニオン性および／または非イオン性修飾誘導体のポリマーを含む。例えば、好適な誘導体は、フタル酸およびテレフタル酸ポリマーのスルホン化誘導体を包含する。
【００６７】
[071]洗剤組成物は酵素をさらに含み、酵素は、プロテアーゼ、アミラーゼ、セロビアーゼ、セルラーゼ、リパーゼ、キシログカナーゼ（ｘｙｌｏｇｕｃａｎａｓｅ）、ペクチン酸リアーゼ、マンナナーゼ、漂白酵素、クチナーゼ、脂肪分解活性酵素、グリコシルヒドロラーゼ、酵素活性物質、またはそれらの混合物等の１つまたは複数を含む。
【００６８】
[072]洗剤組成物は、清浄化性能および／または布地ケアの利益を提供するために酵素成分を含む。そのような組成物は、６〜１２のｐＨを有する。好適な酵素は、これらに限定されないが、プロテアーゼ（中性またはアルカリ性微生物セリンプロテアーゼを含むメタロプロテアーゼおよび／またはセリンプロテアーゼ、例えばＢａｃｉｌｌｕｓ  ｇｉｂｓｏｎｉｉまたはＢａｃｉｌｌｕｓ  Ｌｅｎｔｕｓから得られるサブチリシンまたはプロテアーゼ）、アミラーゼ（例えばα−アミラーゼ、イソアミラーゼ、プルラナーゼ、およびペクチナーゼ）、セロビアーゼ（例えばセロビオヒドロラーゼ、エンドグルカナーゼおよびβ−グルコシダーゼ）、セルラーゼ（細菌または真菌由来）、リパーゼ、キシログカナーゼ（ｘｙｌｏｇｕｃａｎａｓｅ）、ペクチン酸リアーゼ、マンナナーゼ、漂白酵素、クチナーゼ、脂肪分解活性酵素、グリコシルヒドロラーゼ、ならびにそれらの混合物等を含む。Ｂａｃｉｌｌｕｓ  ｓｕｂｔｉｌｉｓ、Ｂａｃｉｌｌｕｓ  ｌｉｃｈｅｎｉｆｏｒｍｉｓ、Ｓｔｒｅｐｔｏｍｙｃｅｕｓ  ｇｒｉｓｅｕｓ、およびＨｕｍｉｃｏｌａ  ｉｎｓｏｌｅｎｓ等の細菌株または真菌から得られた酵素活性物質、またはそれらの混合物等もまた特に好適である。
【００６９】
[073]好適な市販のプロテアーゼ酵素の例は、Ｎｏｖｏｚｙｍｅｓ  Ａ／Ｓ（Ｄｅｎｍａｒｋ）によりＡｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）およびＥｓｐｅｒａｓｅ（登録商標）の商品名で販売されているもの；Ｇｅｎｅｎｃｏｒ  ＩｎｔｅｒｎａｔｉｏｎａｌによりＭａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）およびＰｕｒａｆｅｃｔ  ＯＸＰ（登録商標）の商品名で販売されているもの；Ｓｏｌｖａｙ  ＥｎｚｙｍｅｓによりＯｐｔｉｃｌｅａｎ（登録商標）およびＯｐｔｉｍａｓｅ（登録商標）の商品名で販売されているもの；ＫａｏからのＫＡＰ（突然変異Ａ２３０Ｖ＋Ｓ２５６Ｇ＋Ｓ２５９Ｎを有するＢａｃｉｌｌｕｓ  ａｌｋａｌｏｐｈｉｌｕｓサブチリシン）、またはそれらの混合物等を含む。
【００７０】
[074]例示的な酵素の例は、セルロース、プロテアーゼ、アミラーゼ、リパーゼ、マンナナーゼ、ペクチン酸リアーゼ、キシログルカナーゼ、酵素活性物質、またはそれらの混合物等の１つまたは複数を含む。
【００７１】
[075]好適なアミラーゼの例は、細菌または真菌由来のものを含むアルファ−アミラーゼである。化学修飾または遺伝子修飾突然変異（変異体）が含まれる。典型的には、アルカリ性アルファ−アミラーゼが、Ｂａｃｉｌｌｕｓ株から、例えばＢａｃｉｌｌｕｓ  ｌｉｃｈｅｎｉｆｏｒｍｉｓ、Ｂａｃｉｌｌｕｓ  ａｍｙｌｏｌｉｑｕｅｆａｃｉｅｎｓ、Ｂａｃｉｌｌｕｓ  ｓｔｅａｒｏｔｈｅｒｍｏｐｈｉｌｕｓ、Ｂａｃｉｌｌｕｓ  ｓｕｂｔｉｌｉｓ、または他のＢａｃｉｌｌｕｓ種（例えばＢａｃｉｌｌｕｓ種ＮＣＩＢ１２２８９、ＮＣＩＢ１２５１２、ＮＣＩＢ１２５１３、ｓｐ７０７、ＤＳＭ９３７５、ＤＳＭ１２３６８、ＤＳＭＺ  ｎｏ．１２６４９、ＫＳＭ  ＡＰ１３７８、ＫＳＭ  Ｋ３６もしくはＫＳＭ  Ｋ３８）、またはそれらの混合物等から得られる。
【００７２】
[076]洗剤組成物は、セルラーゼを含んでもよく、好適なセルラーゼの例は、細菌または真菌由来のものを含む。化学修飾またはタンパク質改質突然変異が含まれる。好適なセルラーゼは、これらに限定されないが、Ｂａｃｉｌｌｕｓ属、Ｐｓｅｕｄｏｍｏｎａｓ属、Ｈｕｍｉｃｏｌａ属、Ｆｕｓａｒｉｕｍ属、Ｔｈｉｅｌａｖｉａ属、Ａｃｒｅｍｏｎｉｕｍ属からのセルラーゼ、例えばＨｕｍｉｃｏｌａ  ｉｎｓｏｌｅｎｓ、Ｍｙｃｅｌｉｏｐｈｔｈｏｒａ  ｔｈｅｒｍｏｐｈｉｌａおよびＦｕｓａｒｉｕｍ  ｏｘｙｓｐｏｒｕｍから生成された真菌セルラーゼを含む。市販のセルラーゼは、Ｃｅｌｌｕｚｙｍｅ（登録商標）およびＣａｒｅｚｙｍｅ（登録商標）（Ｎｏｖｏｚｙｍｅｓ  Ａ／Ｓ）、Ｃｌａｚｉｎａｓｅ（登録商標）およびＰｕｒａｄａｘ  ＨＡ（登録商標）（Ｇｅｎｅｎｃｏｒ  Ｉｎｔｅｒｎａｔｉｏｎａｌ  Ｉｎｃ．）、ＫＡＣ−５００（Ｂ）（登録商標）（花王株式会社）、またはそれらの混合物等を含む。
【００７３】
[077]洗剤組成物は、リパーゼを含んでもよく、好適なリパーゼの例は、細菌または真菌由来のものを含む。化学修飾またはタンパク質改質突然変異が含まれる。有用なリパーゼの例は、これらに限定されないが、Ｈｕｍｉｃｏｌａ（Ｔｈｅｒｍｏｍｙｃｅｓと同意）から、例えばＨ．  ｌａｎｕｇｉｎｏｓａ（Ｔ．ｌａｎｕｇｉｎｏｓｕｓ）から、またはＨ．ｉｎｓｏｌｅｎｓからのリパーゼ、Ｐｓｅｕｄｏｍｏｎａｓリパーゼ、例えばＰ．ａｌｃａｌｉｇｅｎｅｓもしくはＰ．ｐｓｅｕｄｏａｌｃａｌｉｇｅｎｅｓ、Ｐ．ｃｅｐａｃｉａ、Ｐ．ｓｔｕｔｚｅｒｉ、Ｐ．ｆｌｕｏｒｅｓｃｅｎｓ、Ｐｓｅｕｄｏｍｏｎａｓ種株ＳＤ７０５、Ｐ．ｗｉｓｃｏｎｓｉｎｅｎｓｉｓからのリパーゼ、Ｂａｃｉｌｌｕｓリパーゼ、例えばＢ．ｓｕｂｔｉｌｉｓ、Ｂ．ｓｔｅａｒｏｔｈｅｒｍｏｐｈｉｌｕｓ、Ｂ．ｐｕｍｉｌｕｓからのリパーゼ、またはそれらの混合物等を含む。
【００７４】
[078]好適なキシログルカナーゼ酵素の例は、キシログルカンおよびアモルファスセルロース基質の両方への酵素活性を有し、酵素は、グリコシルヒドロラーゼ（ＧＨ）ファミリー５、１２、４４もしくは７４から選択されるＧＨ、またはそれらの混合物等である。
【００７５】
[079]好適なペクチン酸リアーゼの例は、これらに限定されないが、Ｐｅｃｔａｗａｓｈ（登録商標）、Ｐｅｃｔａｗａｙ（登録商標）およびＸ−Ｐｅｃｔ（登録商標）（Ｎｏｖｏｚｙｍｅｓ  Ａ／Ｓ製、Ｂａｇｓｖａｅｒｄ、Ｄｅｎｍａｒｋ）の商品名で販売されているＢａｃｉｌｌｕｓ起源ペクチン酸リアーゼの野生型または変異体（ＣＡＦ０５４４１、ＡＡＵ２５５６８）を含む。
【００７６】
[080]好適なマンナナーゼの例は、これらに限定されないが、Ｍａｎｎａｗａｙ（登録商標）（Ｎｏｖｏｚｙｍｅｓ  Ａ／Ｓ製、Ｂａｇｓｖａｅｒｄ、Ｄｅｎｍａｒｋ）およびＰｕｒａｂｒｉｔｅ（登録商標）（Ｇｅｎｅｎｃｏｒ  Ｉｎｔｅｒｎａｔｉｏｎａｌ  Ｉｎｃ．、Ｐａｌｏ  Ａｌｔｏ、Ｃａｌｉｆ．）の商品名で販売されているもの、またはそれらの混合物等を含む。
【００７７】
[081]さらに、所望により、使用される酵素は、漂白酵素の１種または複数であってもよい。好適な漂白酵素の例は、これらに限定されないが、オキシドレダクターゼ、例えばグルコース、コリンもしくは炭水化物オキシダーゼ等のオキシダーゼ、オキシゲナーゼ、カタラーゼ、ペルオキシダーゼ、例えばハロ−、クロロ−、ブロモ−、リグニン−、グルコース−もしくはマンガン−ペルオキシダーゼ、ジオキシゲナーゼまたはラッカーゼ（フェノールオキシダーゼ、ポリフェノールオキシダーゼ）を含む。さらに、好適な市販製品は、ＮｏｖｏｚｙｍｅｓからＧｕａｒｄｚｙｍｅ（登録商標）およびＤｅｎｉｌｉｔｅ（登録商標）シリーズとして販売されている。有利には、さらに有機、および／または芳香族化合物が漂白酵素と共に組み込まれてもよく、これらの化合物は、漂白酵素と相互作用して、オキシドレダクターゼの活性を向上させる（エンハンサー）、または典型的には大きく異なる酸化還元電位にわたり酸化酵素と染みとの間の電子フローを促進する（メディエーター）。
【００７８】
[082]他の好適な漂白酵素は、これに限定されないが、エステル基質および過酸素源からの過酸の形成を触媒するペルヒドロラーゼを含む。好適なペルヒドロラーゼは、Ｍｙｃｏｂａｃｔｅｒｉｕｍ  ｓｍｅｇｍａｔｉｓペルヒドロラーゼの変異体、いわゆるＣＥ−７ペルヒドロラーゼの変異体、およびペルヒドロラーゼ活性を有する野生型サブチリシンＣａｒｌｓｂｅｒｇの変異体を含む。
【００７９】
[083]好適なクチナーゼの例は、これらに限定されないが、Ｆｕｓａｒｉｕｍ  ｓｏｌａｎｉ、Ｐｓｅｕｄｏｍｏｎａｓ  Ｍｅｎｄｏｃｉｎａ、Ｈｕｍｉｃｏｌａ  Ｉｎｓｏｌｅｎｓ、またはそれらの混合物等の１種から得られる野生型と少なくとも９０％、または９５％、または最も好適には少なくとも９８％の同一性を典型的に示す、Ｅ．Ｃ．Ｃｌａｓｓ  ３．１．１．７３によるものを含む。
【００８０】
[084]例えば、リパーゼ等の酵素はグリースおよび油の除去を助け、セルラーゼは白色化および増白作用を示し、アミラーゼはデンプンベースの汚染物を除去し、プロテアーゼはタンパク質の染みを除去する。
【００８１】
[085]さらに、洗剤組成物は、白色化剤または香料等の成分を含む洗剤組成物に一般的な他の成分をさらに含んでもよい。例示的な白色化剤または香料は、これらに限定されないが、リモネン、リナロール、蛍光白色化剤、パルファム、芳香剤（天然もしくは合成的に製造されたもの）、芳香油、香料、精油、およびそれらの混合物、それらの天然油、天然抽出物、芳香剤／香料特性を有する物質、またはそれらの混合物等を含む。
【００８２】
[086]精油の例は、これらに限定されないが、バルサム油、パイン油、柑橘油、ライム油、ジャスミン油、ローズ油、マスカテルセージ油、カモミール油、ラベンダー油、チョウジ油、メリッサ油、ハッカ油、桂皮油、リンデン油、Ｗａ  ｃｈｏｌｄｅｒｂｅｅｒｏｌ、ベチベル油、オリバナム油、ガルバナム油およびラブダナム油、オレンジ花油、橙花油、オレンジ果皮油、ビャクダン油、アニス油、アニシード油、アルニカ花油、バジル油、ベイ油、Ｃｈａｍｂｅｒｌａｉｎ  ｐａｃａｂｌｕｔｅｎｏｌ、シルバーファー油（ｓｉｌｖｅｒ  ｆｉｒ  ｏｉｌ）、ノーブルファーコーン油（ｎｏｂｌｅ  ｆｉｒ  ｃｏｎｅ  ｏｉｌ）、エレミ油、ユーカリ油、ウイキョウ油、松葉油、ガルバナム油、ゼラニウム油、ジンジャーグラス油、Ｇｕａｊ  ａｋｈｏｌｚｏｌ、Ｇｕｒｊ  ｕｎｂａｌｓａｍｏｌ、ムギワラギク油、芳油、ジンジャー油、イリス油、カユプテ油、ショウブ油、カモミール油、樟脳油、Ｋａｎａｇａｏｌ、カルダモン油、カッシア油、松葉油、Ｋｏｐａｌｖａｂａｌｓａｍｏｌ、コリアンダー油、スペアミント油、カラウェー油、Ｋｕｍｉｎｏｌ、レモングラス油、アンブレットシード油、ミルラ油、カラシ油、チョウジ油、橙花油、ニアウリ油、オリバナム油、オレガノ油、パルマローザ油、パチョリ油、プチグレン油、コショウ油、ペパーミント油、ピメント油、パイン油、ローズ油、ローズマリー油、ビャクダン油、セロリ油、トウシキミ油（ｓｔｅｒｎａｎｉｓ  ｏｉｌ）、ニオイヒバ油、タイム油、バーベナ、ベチベル油、ヨモギ油、ウィンターグリーン油、イランイラン油、ヒソップ油、シナモン油、桂皮油、およびヒバ油、またはそれらの混合物等を含む。
【００８３】
[087]例えば、香料は、典型的には、洗剤組成物の総重量を基準として０．００１％〜１０％、好適には０．０１％〜５％、典型的には０．１％〜３％のレベルで組み込まれる。使用される香料は、香料マイクロカプセルおよび／または香料ナノカプセルを含み得る。他の実施形態において、流体洗剤組成物は、複合体を形成していないシクロデキストリン等の臭気制御剤を含む。
【００８４】
[088]洗剤組成物は、上述のような１種または複数の追加の物質を含んでもよい。すなわち、上述の利益に加えて、香料等の物質は、洗剤で洗浄された物品のにおいを改善することができ、増白剤は、物品の色または光沢を改善することができ、緩衝剤は、水中の酸性度バランスを維持することができ、泡抑制剤は、過剰の泡が洗浄を損なうのを防止することができる。
【００８５】
[089]本開示の別の態様において、洗剤組成物は、染料、香料、塩素、ホスフェート、エタノールアミン、および光学的増白剤を本質的に含まずに敏感肌に好適となり得、ならびに／または、天然源からの材料を使用することにより再生可能となり、エンドユーザー製品用のよりバイオベースの洗剤組成物をもたらし得る。
【００８６】
[090]組成物は、皮膚軟化剤をさらに含んでもよく、皮膚軟化剤は、ワックス、油、またはそれらの混合物等を含む。
【００８７】
[091]これらに限定されないが、シリコーンポリマー、炭化水素、直鎖脂肪アルコール、脂肪酸のエステルもしくはグリセリド誘導体、それらの混合物、またはそれらの複合体等を含む、様々なワックスが好適となり得る。
【００８８】
[092]ワックスの例は、これらに限定されないが、植物由来であるカスターワックス、ミツロウ、カルナウバおよびキャンデリラワックス、ならびに石油以外の化石からの鉱物ワックスを含む。鉱物ワックスの一例であるモンタンワックスは、カルボン酸の非グリセリドエステル、炭化水素および他の構成物質を含む。他の天然で入手可能なワックスは、鯨ロウ（ｓｐｅｒｍｅｃｅｔｉ  ｗａｘ）、オゾケライト、セレシン、ヤマモモ（ｂａｙｓｂｅｒｒｙ）、合成ワックス、パラフィンワックス、シリコーンワックスまたはそれらの混合物等を含む。
【００８９】
[093]油性皮膚軟化剤の例は、これらに限定されないが、エステル油、エーテル油またはそれらの混合物等を含む。本明細書における「エステル油」という用語は、少なくとも１つのエステル基を含む上で定義された油を指す。これは、炭酸のエステルもまた本開示によるエステル油であることを意味する。さらに、本明細書における「エーテル油」という用語は、少なくとも１つのエーテル基を含む上で定義された油を指す。
【００９０】
[094]油の例は、これらに限定されないが、グリセリド（例えばトリグリセリド等）、炭化水素（例えばワセリン等）；シリコーン油（例えばジメチコン等）、ジアルキルエーテル、アルキルエステル、ジアルキルカーボネート、ジアルキルタートレート、天然油（例えば植物油）等を含む。ジアルキルエーテル、アルキルエステルおよびジアルキルカーボネート、例えばジカプリリルカーボネート、エチルヘキシルカーボネート、ジヘキシルカーボネートでは、アルキル基は直鎖または分岐状であってもよく、互いに独立して、典型的にはＣ２〜Ｃ１６原子を有する。一般に、前記アルキル基の少なくとも１つは、少なくとも６個の炭素原子、典型的には少なくとも８個の炭素原子を有する。任意選択で、油は、油溶性の日焼け止めとしてのさらなる機能を有する油であってもよい。油成分の混合物もまた使用され得る。
【００９１】
[095]使用される皮膚軟化剤は、これらに限定されないが、ジアルキルエーテル、例えばジカプリリルエーテル、またはアルキルエステル、安息香酸Ｃ１２〜Ｃ１５アルキルまたは酒石酸Ｃ１０〜Ｃ１６ジアルキルを含む。一般に、皮膚軟化剤は、酒石酸Ｃ１０〜Ｃ１６ジアルキル、具体的には酒石酸Ｃ１２〜Ｃ１３ジアルキルである。
【００９２】
[096]洗剤組成物は、保存剤系をさらに含んでもよく、保存剤系は、安息香酸、安息香酸ナトリウム、ベンジルアルコール、ソルビン酸もしくはその塩（すなわちソルビン酸カリウム）、パラベン、デヒドロ酢酸、ブロノポール、トリクロサン、イミダゾリジニル尿素、ＰＨＭＢ、フェノキシエタノール、ＤＭＤＭＨ、エチルヘキシルグリセリン、イソチアゾロン、クロルヘキシジン、ジアゾリジニル尿素、クロルフェネシン、ヒドロキシメチルグリシン酸ナトリウム、塩化ベンゼトノイウム（ｂｅｎｚｅｔｈｏｎｏｉｕｍ）、ＩＰＢＣ（ヨードプロピニルブチルカルバメート）、サリチル酸、有機酸、天然酸（例えばクエン酸、桂皮酸、酒石酸、リンゴ酸、シュウ酸、乳酸、アスコルビン酸）、精油、またはそれらの混合物等の１つまたは複数を含む。
【００９３】
[097]保存剤が存在する場合、全組成物の重量を基準として０．０１ｗ／ｗ％〜１５ｗ／ｗ％の量で存在し得る。好適には、保存剤は、全組成物の重量を基準として０．１ｗ／ｗ％〜７ｗ／ｗ％の量で存在し得る。
【００９４】
[098]一態様において、本開示の洗剤組成物は、（ａ）０．１ｗ／ｗ％〜３５ｗ／ｗ％のポリグリセリル脂肪酸エステル界面活性剤またはポリグリセリル脂肪酸エステルの混合物；（ｂ）１ｗ／ｗ％〜７０ｗ／ｗ％のアニオン性界面活性剤、またはアニオン性界面活性剤の混合物；（ｃ）１ｗ／ｗ％〜１０ｗ／ｗ％のビルダー、キレート剤、酸化防止剤またはそれらの混合物；（ｄ）０ｗ／ｗ％〜１０ｗ／ｗ％のポリマー；（ｅ）０ｗ／ｗ％〜５ｗ／ｗ％の酵素；（ｆ）０ｗ／ｗ％〜５ｗ／ｗ％の白色化剤もしくは香料またはそれらの混合物；および（ｇ）０．５ｗ／ｗ％〜１５ｗ／ｗ％の溶媒を含み、各成分は、洗剤組成物の総重量を基準とする量で存在し、組成物の総重量を基準とするそれぞれの量で存在する。
【００９５】
[099]代替として、本開示の洗剤組成物は、（ａ）０．１ｗ／ｗ％〜２０ｗ／ｗ％の量で存在するポリグリセリル脂肪エステルの１種または複数を含む界面活性剤；（ｂ）１ｗ／ｗ％〜４０ｗ／ｗ％のアニオン性界面活性剤、またはアニオン性界面活性剤の混合物；（ｃ）２ｗ／ｗ％〜５ｗ／ｗ％のビルダー、キレート剤、酸化防止剤またはそれらの混合物；（ｄ）１ｗ／ｗ％〜５ｗ／ｗ％のポリマー；（ｅ）０．１ｗ／ｗ％〜３ｗ／ｗ％の酵素；（ｆ）０．１ｗ／ｗ％〜５ｗ／ｗ％の白色化剤もしくは香料またはそれらの混合物；および（ｇ）０．５ｗ／ｗ％〜１０ｗ／ｗ％の溶媒を含み、各成分は、洗剤組成物の総重量を基準とする量で存在し、組成物の総重量を基準とするそれぞれの量で存在する。
【００９６】
[100]一態様において、組成物は、３〜１２、好適には３〜１０の間である組成物のｐＨを有し得る。
【００９７】
[101]本開示のさらなる態様は、液体、ゲル、懸濁液、カプセル、または粉末の形態であってもよい洗剤組成物を提供する。好適には、組成物は、液体、ゲルまたはカプセルの形態である。さらに、洗剤組成物は、水溶性パウチ材料、またはその同様の製品内に封入されてもよい。
【００９８】
[102]さらに、洗剤組成物が液体形態である場合、流体洗剤組成物が水に相溶性となるように、組成物は、重量で１５ｗ／ｗ％まで、好適には１ｗ／ｗ％〜１０ｗ／ｗ％、典型的には３ｗ／ｗ％〜６ｗ／ｗ％の有効量のヒドロトロープを任意選択で含んでもよい。本明細書における使用に好適なヒドロトロープの例は、アニオン型ヒドロトロープ、特にキシレンスルホン酸ナトリウム、カリウム、およびアンモニウム、トルエンスルホン酸ナトリウム、カリウムおよびアンモニウム、クメンスルホン酸ナトリウム、カリウムおよびアンモニウム、またはそれらの混合物等を含む。
【００９９】
[103]洗剤組成物が液体洗浄および清浄化剤を配合するために使用される場合、そのような組成物は、増粘剤をさらに含む。増粘剤は、例えば、ポリアクリレート増粘物質、キサンタンガム、ゲランガム、グアー種子粉末、アルギネート、カラギーナン、カルボキシメチルセルロース、ベントナイト、ウェランガム、イナゴマメ粉末、寒天、トラガカント、アラビアガム、ペクチン、ポリオース、デンプン、デキストリン、ゼラチン、カゼインまたはそれらの混合物等を包含し得る。しかしながら、改変された天然物質、例えば修飾デンプンおよびセルロース（ここでは例えばカルボキシメチルセルロースおよび他のセルロースエーテル、ヒドロキシエチルおよびプロピルセルロース、ならびに種子粉末エーテルを挙げることができる）の使用もまたさらに増粘剤として使用され得る。
【０１００】
[104]別の態様において、所望により、洗剤組成物は、漂白剤、界面活性剤、酵素安定剤、光学的増白剤、灰色化阻害剤（ｇｒａｙ  ｉｎｈｉｂｉｔｏｒ）、色相染料（ｈｕｅｉｎｇ  ｄｙｅ）、粒状材料、香料および他の臭気制御剤、ヒドロトロープ、泡抑制剤、布地のケアに有益な薬剤（ｆａｂｒｉｃ  ｃａｒｅ  ｂｅｎｅｆｉｔ  ａｇｅｎｔ）、ｐＨ調整剤、移染阻害剤、非布地直接染料、着色剤、洗浄助剤、再付着防止剤、粘度調整剤、加工助剤、漂白剤、漂白活性剤、漂白触媒、両親媒性アルコキシル化グリース清浄化ポリマー、粘土質汚染物清浄化ポリマー、汚染物遊離ポリマー、汚染物懸濁化ポリマー、酵素安定剤、増粘剤、清浄化助剤／清浄化剤、洗剤添加剤またはそれらの混合物等からの少なくとも１つの追加成分をさらに含む。
【０１０１】
[105]移染阻害剤の存在は、例えば、一方の布地から染料が落ちて他方に付着するのを防止するのを助けるために使用される。移染阻害剤の例は、これらに限定されないが、ＩＳＰからのＰＶＰ  Ｋ−３０、Ｃｈｒｏｍａｂｏｎｄ  Ｓ−１００（ベタイン機能性を有するＰＶＰ）、Ｃｈｒｏｍａｂｏｎｄ  Ｓ−４００（酸化窒素機能性を有するＰＶＰ）、またはそれらの混合物等を含む。
【０１０２】
[106]色相染料（ｈｕｅｉｎｇ  ｄｙｅ）の存在は、例えば、布地に濃淡を付ける染料として使用され、これは流体洗剤組成物における有用な補助物質である。好適な色相染料（ｈｕｅｉｎｇ  ｄｙｅ）の例は、これに限定されないが、色相または濃淡効果を有する青および／または紫染料を含む。本明細書における流体洗剤組成物は、重量で約０．００００３ｗ／ｗ％〜０．１ｗ／ｗ％、典型的には約０．００００８ｗ／ｗ％〜０．０５ｗ／ｗ％、好適には約０．０００１ｗ／ｗ％〜０．０４ｗ／ｗ％の布地色相染料（ｈｕｅｉｎｇ  ｄｙｅ）を含み得る。
【０１０３】
[107]灰色化阻害剤（ｇｒａｙ  ｉｎｈｉｂｉｔｏｒ）の目的は、繊維から遊離した汚れを浴中に懸濁したままにし、ひいては汚れが再付着するのを防止することである。通常は本質的に有機である水溶性コロイド、例えばサイズ、ゼラチン、デンプンもしくはセルロースのエーテルスルホン酸の塩、またはセルロースもしくはデンプンの酸性硫酸エステルの塩がこれに好適である。酸基を含む水溶性ポリアミドもまた、この目的に好適である。可溶性デンプン調製物、および上述のもの以外のデンプン生成物、例えば分解したデンプン、アルデヒドデンプン等もまた使用され得る。ポリビニルピロリドンもまた使用可能である。しかしながら、セルロースエーテル、例えばカルボキシメチルセルロース（Ｎａ塩）、メチルセルロース、ヒドロキシアルキルセルロース、および混合エーテル、例えばメチルヒドロキシエチルセルロース、メチルヒドロキシプロピルセルロース、メチルカルボキシメチルセルロース、またはそれらの混合物等の使用が好適である。
【０１０４】
[108]光学的増白剤の存在は、例えば、不可視ＵＶ光を吸収し、青色蛍光を発することにより衣服の見た目の「白さ」を改善するために使用される。その例は、これらに限定されないが、ＢＡＳＦからのＴｉｎｏｐａｌ  ＣＢＳ−Ｘ、他の増白剤（例えばジナトリウムジスチリルビフェニルジスルホネート）、乳白剤（例えばスチレン／アクリレートコポリマー）、またはそれらの混合物等を含む。
【０１０５】
[109]所望により、処理された織布地の灰色化および黄色化をなくすために、光学的増白剤が液体洗浄および清浄化剤に添加されてもよい。これらの物質は、繊維に吸収され、不可視の紫外線をより長波長の可視光に変換することにより増白および疑似漂白効果をもたらし、日光から吸収された紫外光はやや青色がかった蛍光として放射され、灰色化または黄色化した洗濯物の黄色味と組み合わさって純白をもたらす。好適な化合物の例は、これらに限定されないが、４，４’−ジアミノ−２，２’−スチルベンジスルホン酸（フラボン酸（ｆｌａｖｏｎｉｃ  ａｃｉｄ））、４，４’−ジスチリルビフェニレン、メチルウンベリフェロン、クマリン、ジヒドロキノリノン、１，３−ジアリールピラゾリン、ナフタル酸イミド、ベンゾオキサゾール、ベンゾイソオキサゾール、およびベンズイミダゾール系、ならびにヘテロ環で置換されたピレン誘導体、またはそれらの混合物等を誘導し、それらを含む。所望により、光学的増白剤は通常、完全な薬剤を基準として０．０５ｗ／ｗ％〜３ｗ／ｗ％の量で使用される。
【０１０６】
[110]粘度調整剤の存在は、プロピレングリコール、キシレンスルホン酸ナトリウム、ポリマー、またはそれらの混合物等の添加により、粘度を所望のレベルまで増加または減少させるのを助けるために使用される。
【０１０７】
[111]泡抑制剤の存在は、泡の量を制御するために使用され、これらに限定されないが、石鹸、シリケート、シリコーン、またはそれらの混合物等の物質の使用を含む。好適には、過度の発泡を制御するために使用される任意の物質が望ましくなり得る。
【０１０８】
[112]さらに、洗剤組成物中に酵素が存在する場合、１種または複数の酵素安定剤が洗剤組成物に添加されてもよい。酵素安定剤の例は、これらに限定されないが、チオフェン−２ボロン酸、チオフェン−３ボロン酸、アセトアミドフェニルボロン酸、ベンゾフラン−２ボロン酸、ナフタレン−１ボロン酸、ナフタレン−２ボロン酸、２−ホルミルフェニルボロン酸（２−ＦＰＢＡ）、３−ＦＢＰＡ、４−ＦＰＢＡ、１−チアントレンボロン酸、４−ジベンゾフランボロン酸、５−メチルチオフェン−２ボロン酸、チオナフトレン（ｔｈｉｏｎａｐｈｔｒｅｎｅ）ボロン酸、フラン−２ボロン酸、フラン−３ボロン酸、４，４ビフェニルジボロン酸、６−ヒドロキシ−２−ナフタレン、４−（メチルチオ）フェニルボロン酸、４（トリメチルシリル）フェニルボロン酸、３−ブロモチオフェンボロン酸、４−メチルチオフェンボロン酸、２−ナフチルボロン酸、５−ブロモチフェン（ｂｒｏｍｏｔｈｉｐｈｅｎｅ）ボロン酸、５−クロロチオフェンボロン酸、ジメチルチオフェンボロン酸、２−ブロモフェニルボロン酸、３−クロロフェニルボロン酸、３−メトキシ−２−チオフェン、ｐ−メチル−フェニルエチルボロン酸、２−チアントレンボロン酸、ジ−ベンゾチオフェンボロン酸、４−カルボキシフェニルボロン酸、９−アントリルボロン酸、３，５ジクロロフェニルボロン酸、ジフェニルボロン酸無水物、ｏ−クロロフェニルボロン酸、ｐ−クロロフェニルボロン酸、ｍ−ブロモフェニルボロン酸、ｐ−ブロモフェニルボロン酸、ｐ−フルオロフェニルボロン酸、ｐ−トリルボロン酸、ｏ−トリルボロン酸、オクチルボロン酸、１，３，５トリメチルフェニルボロン酸、３−クロロ−４−フロウロフェニル（ｆｌｏｕｒｏｐｈｅｎｙｌ）ボロン酸、３−アミノフェニルボロン酸、３，５−ビス−（トリフルオロメチル）フェニルボロン酸、２，４ジクロロフェニルボロン酸、４−メトキシフェニルボロン酸、またはそれらの混合物等を含む。
【０１０９】
[113]ｐＨ調整剤の存在は、洗剤組成物のｐＨを維持／制御するのを助けるために使用される。ｐＨ調整剤の例は、これらに限定されないが、クエン酸、モノエタノールアミンもしくはその塩、炭酸ナトリウム、硫酸ナトリウム、水酸化ナトリウム、またはそれらの混合物等の添加を含む。
【０１１０】
[114]漂白剤の例は、これらに限定されないが、過ホウ酸ナトリウム四水和物および過ホウ酸ナトリウム一水和物を含み、特に重要である。他の使用可能な漂白剤は、例えば、過炭酸ナトリウム、ペルオキシピロホスフェート、シトレート過水和物、およびＨ２Ｏ２を生成する過酸塩または過酸、例えばペルベンゾエート、ペルオキシフタレート、ジペルアゼライン酸、フタロイミノ過酸、ジペルドデカン二酸、またはそれらの混合物等である。
【０１１１】
[115]例えば、活性剤（過酸前駆体）と配合され得る組成物中の過酸素漂白成分は、これらに限定されないが、テトラアセチルエチレンジアミン（ＴＡＥＤ）、ベンゾイルカプロラクタム（ＢｚＣＬ）、４−ニトロベンゾイルカプロラクタム、ベンゾイルバレロラクタム（ＢＺＶＬ）、３−クロロベンゾイルカプロラクタム、ベンゾイルオキシベンゼンスルホネート（ＢＯＢＳ）、ノナノイルオキシベンゼンスルホネート（ＮＯＢＳ）、フェニルベンゾエート（ＰｈＢｚ）、デカノイルオキシベンゼンスルホネート（Ｃ１０−ＯＢＳ）、オクタノイルオキシベンゼンスルホネート（Ｃ８−ＯＢＳ）、過加水分解性（ｐｅｒｈｙｄｒｏｌｙｚａｂｌｅ）エステルおよびそれらの混合物、代替としてベンゾイルカプロラクタムおよびベンゾイルバレロラクタム、４−［Ｎ−（ノナオイル（ｎｏｎａｏｙｌ））アミノヘキサノイルオキシル］−ベンゼンスルホネートナトリウム塩（ＮＡＣＡ−ＯＢＳ）（米国特許第５，５２３，４３４号を参照されたい）、ドデカノイルオキシ−ベンゼンスルホネート（ＬＯＢＳもしくはＣ１２−ＯＢＳ）、１０−ウンデセノイルオキシベンゼンスルホネート（１０位に不飽和を有するＵＤＯＢＳもしくはＣ１１−ＯＢＳ）、ならびにデカノイルオキシ安息香酸（ＤＯＢＡ）、またはそれらの混合物等を含む。四級置換漂白活性剤を含む好適な漂白活性剤の限定されない例は、米国特許第６，８５５，６８０号に記載されている。
【０１１２】
[116]例えば、有機漂白触媒およびカチオン性漂白触媒等の他の漂白触媒が、本開示の流体洗剤組成物に好適である。有機漂白触媒はしばしば、洗剤組成物の所望の用途に応じて漂白ブースターとも呼ばれる。例えば、本明細書における流体洗剤組成物は、低温漂白を改善するために１種または複数の有機漂白触媒を含んでもよい。
【０１１３】
[117]好適な有機漂白触媒の例は、これらに限定されないが、アリールイミニウム双性イオンを含む双性イオン性漂白触媒を含む。好適な例は、３−（３，４−ジヒドロイソキノリニウム）プロパンスルホネートおよび３，４−ジヒドロ−２［２−（スルホオキシ）デシル］−イソキノリニウム、またはそれらの混合物等を含む。
【０１１４】
[118]漂白活性剤は、６０℃以下の温度で洗浄した場合に改善された漂白効果を達成するために、洗浄および清浄化剤に組み込むことができる。漂白活性剤の例は、これに限定されないが、過加水分解（ｐｅｒｈｙｄｒｏｌｙｓｉｓ）条件下でＣ１〜Ｃ１０原子、特にＣ２〜Ｃ４原子を有する脂肪族ペルオキシカルボン酸、および／または置換されていてもよい過安息香酸を生成する化合物を含み、これは漂白活性剤として有用な物質となり得る。例えば、上述の数の炭素原子を有するＯ−および／もしくはＮ−アシル基、ならびに／または置換されていてもよいベンゾイル基を有する物質が好適である。複数アシル化アルキレンジアミン、特にテトラアセチルエチレンジアミン（ＴＡＥＤ）、アシル化トリアジン誘導体、特に１，５−ジアセチル−２，４−ジオキソヘキサヒドロ−１，３，５−トリアジン（ＤＡＤＨＴ）、アシル化グリコールウリル、特にテトラアセチルグリコールウリル（ＴＡＧＵ）、Ｎ−アシルイミド、特にＮ−ノナノイルスクシンイミド（ＮＯＳＩ）、アシル化フェノールスルホネート、特にｎ−ノナノイルもしくはイソノナノイルオキシベンゼンスルホネート（ｎ−およびｉｓｏ−ＮＯＢＳ）、カルボン酸無水物、フタル酸無水物、アシル化多価アルコール、特にトリアセチン、エチレングリコールジアセテート、２，５−ジアセトキシ−２，５−ジヒドロフラン、またはそれらの混合物等がある。
【０１１５】
[119]従来の漂白活性剤に加えて、またはその代わりに、いわゆる漂白触媒が液体洗浄および清浄化剤に組み込まれてもよい。これらの物質は、漂白を増強する遷移金属塩または遷移金属錯体、例えばＭｎ、Ｆｅ、Ｃｏ、Ｒｕ、もしくはＭｏ塩錯体等、またはカルボニル錯体である。窒素含有三脚配位子を有するＭｎ、Ｆｅ、Ｃｏ、Ｒｕ、Ｍｏ、Ｔｉ、Ｖ、およびＣｕ錯体、ならびにＣｏ、Ｆｅ、Ｃｕ、およびＲｕアンミン錯体、それらの混合物等もまた、漂白触媒として適用可能である。
【０１１６】
[120]バイオベース生成物を含む洗剤組成物を提供することが望ましくなり得るが、本明細書における「バイオベース生成物」という用語は、天然源からのある特定の量の再生可能材料を用いて作製された物質を指す。そのような組成物はさらに、染料、塩素、ホスフェート、エタノールアミン、光学的増白剤、またはそれらの混合物等を含まなくてもよい。
【０１１７】
[121]本開示による洗剤組成物は、衛生、または消費者／ホームケア製品、例えば食器洗浄、洗濯、食器手洗い用洗浄液、および他の家庭用洗剤ベース組成物に有用である。
【０１１８】
[122]さらに、エンドユーザー配合物のためのさらなる態様において、（ａ）本開示の組成物、ならびに（ｂ）水、水性溶媒、非水性溶媒およびそれらの混合物を含む、消費者／ホームケアまたは衛生製品用の洗剤組成物が提供され得る。
【０１１９】
[123]一態様において、本開示による洗剤組成物を含む自動食器洗浄製品が、水、水性溶媒、非水性溶媒またはそれらの混合物と組み合わされてもよく、そのような組成物は、食器洗浄製品、洗濯製品、食器手洗い用製品、または他の家庭用洗剤ベース組成物に有用である。
【０１２０】
[124]所望により、エンドユーザー配合物または自動食器洗浄製品は、配合物の重量を基準として重量で０．１ｗ／ｗ％〜８５ｗ／ｗ％の濃縮洗剤組成物を含む。
【０１２１】
[125]さらに、エンドユーザー配合物または自動食器洗浄製品は、配合物の重量を基準として重量で０．１ｗ／ｗ％〜５０ｗ／ｗ％の濃縮組成物を含む。
【０１２２】
[126]別の態様において、衛生または消費者／ホームケア製品に有用なエンドユーザー配合物は、食器洗浄液、洗濯洗剤、手洗い用洗浄液、および他の家庭用洗剤ベース組成物を含む。
【０１２３】
[127]以下の実施例は、本開示を限定することなく例示する。別段に指定されない限り、すべての部およびパーセンテージは重量基準で示されている。
【０１２４】
[128]さらに、本開示のある特定の実施形態は、本質的に非限定的で例示的であることを意図する以下の実施例によってより良く理解され得る。以下の実施例に記載される要素はそれぞれ、または２つ以上が一緒になって、上記の種類とは異なる他の種類の方法においてもまた有用な用途を有し得ることが理解される。
【０１２５】
[129]以下の実施例は、本開示に従って調製され得る、エンドユーザー配合物のそれぞれの例示的な配合物であることが意図される。
【０１２６】
[130]  実施例１
【０１２７】
【表１】
2021530604.tif 000002
[132]  実施例２
【０１２８】
【表２】
2021530604.tif 000003
[134]  実施例３
【０１２９】
【表３】
2021530604.tif 000004
[136]  実施例４
【０１３０】
【表４】
2021530604.tif 000005
[138]  実施例５
【０１３１】
【表５】
2021530604.tif 000006
[140]  実施例６
【０１３２】
【表６】
2021530604.tif 000007
[142]  実施例７
【０１３３】
【表７】
2021530604.tif 000008
[144]例えば、フロントローディング式洗濯機（約５０Ｌ）の場合、消費者は、約５０ｍＬの製品（濃縮物）を使用し、これは洗浄サイクル中に１０００倍希釈される。さらに、臨界ミセル濃度（ＣＭＣ）未満となるため、１％未満のポリグリセリルエステルを使用しないことが示唆される。したがって、効果的な洗浄力が観察されるためには、本開示で提供される上述の組成物は、この値を超えなければならない。
【０１３４】
[145]具体的な実施形態を参照しながら本発明を上に説明してきたが、本明細書で開示される発明の概念から逸脱しない限り、多くの変更、修正、および変形が成され得ることは明らかである。したがって、添付の特許請求の範囲の精神および広範な範囲内に含まれるそのようなすべての変更形態、修正形態、および変形形態を包含することが意図される。
【国際調査報告】
2021530604.tif 000009